(57)【要約】【課題】  従来、入力するエネルギ−に対して出力するエネルギ−が増加することは、通常の自然法則に反すると学者が間違った理論を謳い、そして行なっているので地球温暖化を招き、環境を破壊し、それでも懲りずに行政は、熱を上げても、その熱を早急に自然界に放出しなければ使い物にならない核融合を推し進めようとしている。【解決手段】  テコの原理の短距離に使っても長距離に使っても、同じ力を出しっぱなしの、馬蹄形永久磁石を発電機の道程より十倍長い電動機回転子に取り付け十倍の力を維持させる。そして、固定コイルは単なる風が台風竜巻と成る様にコイルの両端を固定整流子移動ブラシを介してダイオ−ドで接続し回流する電子と下に流れる電子とに二重構造にする。此れによって、足の速さを特徴とする電子は何万回何百万回と回流し続け、慣性力を発揮し少電力で磁力を高め、入力エネルギ−より出力エネルギ−を増加さす事ができる。【選択図】図１
2009296865.tif 000002
【特許請求の範囲】
【請求項１】
馬蹄形永久磁石をテコの原理の長距離を採用した電動機回転子に取り付け、此れに対する固定コイルは、単なる風が台風竜巻、単なる海流が渦潮、のように、電子が回流する事が出来るように、固定コイルの両端を固定整流子移動ブラシを介して、ダイオ−ドで接続する。また、交流の電源にもダイオ−ドを取り付け直流にして慣性力を高める。そして、起電力、回流、下に流すの三通理を微細にできる固定整流子移動ブラシを取り付けた電動機と、テコの原理の短距離を採用した発電機と、前記、電動機をセットにした電動発電機を、カプセルに納め、地下に於いて、真空にして慣性力を高めながら、電力の増殖を計った電力増殖機。
【発明の詳細な説明】
【技術分野】
【０００１】  本発明は、電流の慣性力と重量の慣性力を力融合させ電力の増殖を図った、電力増殖機に関する。
【背景技術】
【０００２】  従来の学説に於いて入力するエネルギ−に対して出力するエネルギ−が増加することが通常の自然法則に反するとうたわれているので、現代係争中の、私の出願、特願２００６−３３９１６５、以外見当たらない。【０００３】  現代係争中の意見書にも書いているように、エネルギ−とは抵抗力に因って、入力するエネルギ−に対し出力するエネルギ−は大きく損失する反面、慣性力に依って、入力するエネルギ−に対し出力エネルギ−を大きく伸ばす事が出来る。即ちエネルギ−増減の法則こそが誠のエネルギ−の法則であると信じている。がしかしエネルギ−保存の法則も間違ってはいないと思う。後生の学者が入力に対し出力するエネルギ−が増加するのは自然法則に反するとか、永久機関が出来ない事は、この保存則を持って証明することが出来ると言ってる事が間違っているだけの事である。【０００４】  また、上記問題点は上記だけではない、テコの原理もそうである。短距離も長距離も結果は同じであると教えている。従って、現在は軽薄短小方に力点が置かれ進行している。このテコの原理も間違ってはいないのである。が間違っているのである。それは、同じ素材でも適材適所適策に使えば大きな違いを見せる事である。この物理の世界は単純にして複雑であり、複雑にして単純な世界でもある。
【発明の開示】
【発明が解決しようとする課題】
【０００５】  従来、上記問題点２点を解明されておれば地球温暖化や、資源の無駄遣い、人類の歩むべき方向を見誤らずに済んでいた。これ等を解決すると共に永久機関発電機を得ることを目的とするものである。
【課題を解決するための手段】
【０００６】  まず、係争や意見書を出さずに済むよう哲学の徹底した披露である。エネルギ−増減の法則は披露済みである。テコの原理は上記している様に間違っていないと思うが、素材の使い方によって大きく違いが出てくるのである。この個々の素材を上手く適材適所適策に使えば永久機関発電機まで道は開けてくるのである。【０００７】  まず、電動機の回転子に永久磁石を使用する。この、永久磁石はテコの原理の短距離で使っても、長距離で使っても、問題無く同じ力を出しっぱなしである。従って、磁力が小さくて済む長距離で使う方が有利であり、長距離になれば成る程、短距離との差が広がる。発電機回転子の直径より、電動機回転子の直径を１０倍の大きさにすれば、磁力が同じでも、磁力を１０倍強めた事になり、１５倍の道程であれば１５倍の力を出している事になる。ここが本発明の最大中の手段でもある。【０００８】  そして、電動機の固定コイルは、回転子に永久磁石を使用している分、約２倍に強化することが出来る。そしてその分を永久磁石分とで回転子の慣性力を高めることが出来る。【０００９】  この、慣性力を高めるには重量が必要である。発電機発電時の抵抗力が１ｔならル−ト１ｔの電動機回転子の重さが最適である。そして、重量と速度を掛け合せた物が、慣性力の強さである、ので、如何に速度を上げるかである。本発明は現在の回転数１７００前後を目標にして、電動機回転子の直径を１ｍにすれば時速約３２０ｋｍの新幹線並みの慣性力が得られ、２ｍにすれば時速約６４０ｋｍと成るが、まだまだ鈍足である。そして５ｍにすれば時速約１，６００ｋｍの音速を超えた慣性力を得る事が出来るが、電子の対応能力から見ればまだまだ鈍足である。この慣性力の強弱が電動機の固定コイルに流れる電圧を左右するので、慣性力が強ければ強い程、電圧が下がらない。つまり、電圧を下げなければいくら電流を流しても、遠くから送られてくる電力と同じで、電力を使った事にはならない。つまり、電圧を上げる物が発電機で、電圧を下げる物が電動機であると定義付けた方が分かりやすく、また、回される物が発電機で、回す物が電動機であるので、電動機も永久機関発電機を産み出す時は臨界回転数までもって行き、慣性力によって電動機が回されているのか、電動機が慣性力を高めているのか、分からないぐらいになれば完全な永久機関発電機の誕生である。これは発電機回転子の径を如何に小さく、そして、電動機回転子の径を如何に大きくするかの問題でもある。本発明の電力増殖機は、発電機の回転子の径を５０ｃｍ，電動機の回転子の径を５ｍ、これで充分目的を達成することが出来る。【００１０】  そして、回転子永久磁石の速度を上げるには、固定コイルの磁力を上げる必要がある。この磁力の上げる方法が、本発明の二大発明の一つでもある。それは、単なる風が台風、竜巻、単なる海流が渦潮と成る様にすれば強力な磁力を得ることが出来る。本発明は、電動機固定コイルの両端にダイオ−ドを取り付け、電流が固定コイル内を回流する事が出来る様にする事と、また、他方へも流れる様に二重構造にする事である。そして、このように電流の流れを１方通行直流にすれば、交流では出来なかった電子の慣性力を高める事が出来る。また、回流がし��い様に固定コイルの電線は通常より太い方が良い。【００１１】  また、整流子の径を大きくすることによって精密にして正確な電気を送り込めるようにしている。つまり、永久磁石と固定コイルが重なる１歩手前に電流がダイオ−ドを通じル−プに流れるようにすれば、固定コイルが永久磁石の接近を感知し接近を阻止しようと起電力を起こす、この起電力はル−プに回流し永久磁石と同等の磁力迄磁力を高める。この時、永久磁石が十倍の回転力に成っていれば、固定コイルも十倍の磁力と成るので十倍の反発力が生まれる。この反発力が持続出来るようダイオ−ドを取り付けているので、電動機は十倍の力で発電機を回すことになる。そして、永久磁石が固定コイルより遠ざかろうとした時、起電力はそれを阻止しようと逆回流を試みるがダイオ−ドに阻止され、そのまま慣性力に従って回流を続ける。この電子の慣性力は、質量は無に等しいが速度がべら棒に速いので大きな慣性力を持っている。この起電力の慣性力を利用して、電流を流せば電力を大きく節約することが出来る。また、ダイオ−ドは交流を直流に直流を交流に簡単に変えることが出来るので便利でもある。【００１２】  そして、抵抗力の追放である。最大の抵抗力は空気抵抗である。これは、潜水艦が水圧を遮断して内部を動き易い様にしている様に、空気圧を遮断するしか方法が無い。図２に示すように電動発電機を十文字形のカプセル内に納め、地下にて真空にすれば十文字形は、蓋がしやすく形態も最小限に止める事が出来るので真空も又簡単にできる。また、駆動回転軸の抵抗力は、電動機の径を大きくしているので、テコの原理によって気にならないぐらい小さく感じ気にしなくて良く。さらに、駆動回転軸の抵抗力を分解解明すれば、中心点を境に上に上がる方と、下に下がる方との別れ高速回転に成れば成る程抵抗力は＋−＝０に近づくので気にしなくて済む。【００１３】  そして、最後に、カプセル内の冷却対策である。発電機、電動機共に固定コイルは冷媒パイプにて簡単に熱を除去でき発電機の回転子コイルは冷媒ガスを吹き付け、これを回収冷却すれば簡単に熱を除去する事が出来る。
また、馬蹄形永久磁石の事であるが、磁力が落ちた時の事を考えて馬蹄形の中心にコイルを巻いておくのも一方法である。落ちた時だけ電気を流せばよい。
【発明の効果】
【００１４】  この発明の効果は、電動機に永久磁石を使用している。これだけで約半分の電力を節約でき、これが適材であり、そして適所はテコの原理の長距離に使用した事である。発電機回転子の径より電動機回転子の径を１０倍大きくすれば１０倍の威力を発揮し、２０倍大きくすれば２０倍の威力を発揮する。永久磁石は何所に据えても、どの様に使っても同じ力を出しっ放しである。これによりテコの原理の結果は皆等しくなる。のでは無く、素材の適材適所適策によって違ってくるものである。従って、この１線上に永久機関発電機が存在する。【００１５】  また、永久磁石の相棒に鉄心無しの固定コイルを使用している。これは磁石と鉄心の吸引関係を絶つ為である。これにより固定コイルの思いのまま永久磁石を動かす事ができる。そして、固定コイルに起電力が起こり、その起電力を利用する事によって電力を更に節約する事が出来る。【００１６】  この、固定コイルの適所は永久磁石と同じで長距離に使用した事である。これにより、弱い磁力で済ますことが出来、電力の特徴である桁違いの速度を生かす事ができる。また、ダイオ−ドを取り付け、一方通行にしてル−プに回流する様にしている。これは、単なる海流がうず潮、単なる風が台風暴風、または、竜巻と成る様に、本発明は、コイルの両端をダイオ−ドで接続させ電流をル−プに回流させれば質量は無に等しいが速度がべら棒に速い電流は回流して台風暴風竜巻の様に変化する。その結果、強い慣性力を引き出すことが出来、強い磁力を引き出し、それを維持する事が出来る。【００１７】  そして、永久磁石が１０倍の威力を発揮していれば、固定コイルの起電力も同等に成り、それを起電力の慣性力と新たな電力で磁力を維持すれば、１０倍の威力で遠い道程を行進するので回転子は臨界回転数となり、音速をはるかに超えた強い慣性力を得ることが出来る。その結果、電動機は、ある時は電動機、また、ある時は発電機の状態と成り、其処を流れる電流も電圧が下がらないので電力を使ったのか使わなかったのか判らない状態となる。従って、使ったとしても少しの電力で回転子を回転さす事が出来る。【００１８】  そして、本発明の最大の効果は、永久機関発電機の誕生である。人類の夢であった永久機関発電機が現実の物に成ったのである。では何故に特許出願に永久機関発電機としなかったのか、特許を取るのに時間がかかると思い電力増殖機なら簡単に特許が取れると思ったからである。【００１９】  そして、自然を破壊し資源を無駄使いする火力発電や、原子力発電は要らなくなる。また、人類が踏み出そうとしている核融合、これ等は皆熱を上げると同時にその熱を自然界に早急に放出しなければ使い物にならない化け物ばかりである。これ等をこの世から消し去れば破壊されている現在の自然を守ることが出来る。【００２０】  また、資源を輸入に頼っている日本にとっては、本発明の電力増殖機を推進させれば、輸入に頼らずともエネルギ−大国になれる。
【発明を実施するための最良の形態】
【００２１】  本発明の実施の形態を図１〜図２に基づいて説明する。【００２２】  図１〜図２においてはカプセル１０の内部にベアリング受１７を固着する。これにベアリング１６を介して駆動回転軸５を固定し、その中心に磁石固定盤８を固着して、その先端に馬蹄形永久磁石７を固着する。【００２３】  そして、固定コイル９をカプセル１０に固着する。この固定コイルの配線は図３に示す様に固定コイルの両端を固定整流子、移動ブラシを介してダイオ−ド１３で接続している。また、他方へも流れるように二重構造に成っている。そして電流はダイオ−ド１３を通じ直流に成っている。【００２４】  そして、馬蹄形永久磁石１個に対し固定コイル５個を１セットとして構成している。【００２５】  また、磁石固定盤８に隣接する所に移動ブラシ６を取り付ける。これに接続する固定整流子１４をカプセルに固着する。【００２６】  そして、駆動回転軸の両端に径は小さいが横長く製作した発電機を取り付ける。この電動発電機をカプセルに納める。【００２７】  そして、図１〜図２に示す様に、地下を十文字形に掘り下げ鉄筋コンクリ−ト４にひび割れが出来ても真空が保たれる様に鉄板３をはさんで鉄筋コンクリ−トを打っている。その上にパッキン２を介して蓋１をする。
【実施例】
【００２８】  以下、上記構成の動作を説明する。テコの原理から云っても小さな力で済む所を、何所に使っても同じ力を出しっ放しの馬蹄形永久磁石をテコの原理の遠距離に使用する事により力を十倍二十倍にする事が出来る。また、その分空気抵抗が増えるのでその対策に地下を掘り下げカプセルにて真空にしているので重量の慣性力を高めることが出来る。【００２９】  また、永久磁石に対する固定コイルも、コイルの両端をダイオ−ドで接続する事によって単なる風が台風竜巻、単なる海流が渦潮のように、単なる電子の流れも、コイル内を回流する事によって、元々、持ち合わせている慣性力を発揮する事が出来、その結果、強い磁力を産み出し重量の慣性力を音速以上に高め、電動機をある時は電動機、又、ある時は発電機と、どちらであるのか判別し難くして、そこを流れる電流も電圧が下がらないので使ったのか使わなかったのか判別し難くして、そこを流れる電流を遠くから送られて来る電流と同等にする事が出来る。【００３０】  また、一番大事な事は、従来交流では出し得なかった電力の慣性力である。電力の特徴は云うまでも無い足の速いことである。あっという間に何万キロも行けるのは電力だけである。従来これが生かされていなかった。従って永久機関が出来なかった。何度でも云うが、慣性力は質量に速度をかけたものである。と同時に直線に進むことである、が直線には終着が待っている、次善は回流である、回流には終着が無い。本発明の電動機固定コイルは馬蹄形永久磁石一個に対し５個の固定コイルが１セットになっている、その中の二個の固定コイルに何時も量と方向が同じ電子が規則正しく回流しているので、流れている量のわりに、少ない電力で磁力を高め慣性力を高めている。従って少ない電力で多くの電力を得ることが出来る。
【産業上の利用可能性】
【００３１】  上記したように本発明の電力増殖機は、従来の通常の自然法則を覆し、間違った方向に進んでいる人類の科学を正常な方向に導き、産業を大きく発展させる事が出来る。
【図面の簡単な説明】
【００３２】
【図１】地下・カプセル・電動機・駆動回転軸の断面図。移動ブラシの説明図。
【図２】地下・図１におけるＡ−Ａ線断面図。
【図３】電動機の配線説明図。
【符号の説明】
【００３３】１・・・蓋
２・・・パッキン
３・・・鉄板
４・・・鉄筋コンクリ−ト
５・・・駆動回転軸
６・・・移動ブラシ
７・・・馬蹄形永久磁石
８・・・磁石固定盤
９・・・固定コイル
１０・・・カプセル
１３・・・ダイオ−ド
１４・・・固定整流子
【図１】
2009296865.tif 000003
【図２】
2009296865.tif 000004
【図３】
2009296865.tif 000005